(57)【要約】【課題】断熱容器の使用前及び使用中に支障が生じない範囲で可能な限り簡便に容器本体とスリーブとを分離でき、しかも容器本体に装着したスリーブの安定性が高い断熱容器を提供する。【解決手段】断熱容器１Ａは、プラスチックを素材としたカップ本体２が紙製のスリーブ３で覆われており、スリーブ３の上部に設けられた内向きの上側カール部３ａとカップ本体２の上部に設けられた周溝部７とを互いに接触させてスリーブ３をカップ本体２に拘束するとともに、スリーブ３の下部に設けられた内向きの下側カール部３ｂとカップ本体２の下部に設けられたテーパ部８とを互いに接触させてスリーブ３をカップ本体２に拘束する。【選択図】図１
2008168922.tif 000002
【特許請求の範囲】
【請求項１】
プラスチックを素材としたカップ状の容器本体と、前記容器本体の胴部の外周面を覆う紙製のスリーブとを有した断熱容器において、
前記スリーブの上部に設けられて前記スリーブの半径方向内側又は外側に突出する上部被拘束部と前記容器本体の前記胴部の上部に設けられて前記上部被拘束部の移動を阻止する上部拘束部とを有し、前記上部被拘束部と前記上部拘束部とを互いに接触させて前記スリーブを前記容器本体に拘束する上部拘束手段と、前記スリーブの下部に設けられて前記スリーブの半径方向内側又は外側に突出する下部被拘束部と前記容器本体の前記胴部の下部に設けられて前記下部被拘束部の移動を阻止する下部拘束部とを有し、前記下部被拘束部と前記下部拘束部とを互いに接触させて前記スリーブを前記容器本体に拘束する下部拘束手段と、を備えることを特徴とする断熱容器。
【請求項２】
前記上部拘束手段は、前記上部被拘束部として前記スリーブの上端部が前記半径方向内側に丸められた上側カール部が設けられ、前記上側カール部と前記上部拘束部とを互いに接触させて前記スリーブを前記容器本体に拘束することを特徴とする請求項１に記載の断熱容器。
【請求項３】
前記上部拘束手段は、前記上部被拘束部として前記スリーブの上端部が前記半径方向内側に折曲げられた上側折曲げ部が設けられ、前記上側折曲げ部と前記上部拘束部とを互いに接触させて前記スリーブを前記容器本体に拘束することを特徴とする請求項１に記載の断熱容器。
【請求項４】
前記下部拘束手段は、前記下部被拘束部として前記スリーブの下端部が前記半径方向内側に丸められた下側カール部が設けられ、前記下側カール部と前記下部拘束部とを互いに接触させて前記スリーブを前記容器本体に拘束することを特徴とする請求項１〜３のいずれか一項に記載の断熱容器。
【請求項５】
前記下部拘束手段は、前記下部被拘束部として前記スリーブの下端部が前記半径方向内側に折曲げられた下側折曲げ部が設けられ、前記下側折曲げ部と前記下部拘束部とを互いに接触させて前記スリーブを前記容器本体に拘束することを特徴とする請求項１〜３のいずれか一項に記載の断熱容器。
【請求項６】
前記下部拘束部として、前記胴部の上部に向かう方向に外径が徐々に縮小するテーパ部が前記胴部の下部に設けられていることを特徴とする請求項２〜５のいずれか一項に記載の断熱容器。
【請求項７】
前記容器本体の前記胴部は、その外径が上部に向かう方向に前記テーパ部に続いて徐々に拡大するように構成されていることを特徴とする請求項６に記載の断熱容器。
【発明の詳細な説明】
【技術分野】
【０００１】
本発明はプラスチックを素材としたカップ状の容器本体の外周面を紙製のスリーブで覆った断熱容器に関する。
【背景技術】
【０００２】
熱湯等の高温液体の注入に適した断熱容器として、容器本体の胴部が覆われるようにその外周面に紙製のスリーブが被せられたものが広く知られている（例えば、特許文献１）。このような断熱容器は、スリーブと胴部との間に空隙が形成され、その空隙が断熱層として機能するため断熱容器を持つ使用者の手に内容物の熱が伝わり難くなっている。このような断熱容器において、容器本体をプラスチックの成形品とすることで、紙で容器本体を構成するものに比べて設計自由度を向上させるとともに、内容物の漏れ等の成形不良を防止したものが知られている（特許文献２）。
【０００３】
【特許文献１】実開平４−４５２１２号公報
【特許文献２】特開２０００−３４４２８１号公報
【発明の開示】
【発明が解決しようとする課題】
【０００４】
特許文献２のように、容器本体の素材をプラスチックとし、スリーブの素材を紙とした場合には断熱容器の使用後の分別廃棄が必要となる。そのため、使用後の分別廃棄を容易に実現するには、断熱容器の使用前及び使用中に支障が生じない範囲で可能な限り簡便に容器本体と被覆部材とを分離できることが望ましい。
【０００５】
特許文献２には、スリーブの下端に設けたカール部を容器本体の下端に設けた突起に接触させることにより、接着剤を使用せずにスリーブの落下を防止した断熱容器や、スリーブの上端に設けたカール部を容器本体の上端に設けたリブの端部に接触させることにより、接着剤を使用せずにスリーブの落下を防止した断熱容器が開示されている。しかしながら、特許文献２に開示されたこれらの断熱容器はスリーブのカール部を拘束する位置が容器本体の上端又は下端のいずれかであるため、容器本体に装着されたスリーブが不安定になるおそれがある。
【０００６】
そこで、本発明は、断熱容器の使用前及び使用中に支障が生じない範囲で可能な限り簡便に容器本体とスリーブとを分離でき、しかも容器本体に装着したスリーブの安定性が高い断熱容器を提供することを目的とする。
【課題を解決するための手段】
【０００７】
以下、本発明の断熱容器について説明する。なお、本発明の理解を容易にするために添付図面の参照符号を括弧書きにて付記するが、それにより本発明が図示の形態に限定されるものではない。
【０００８】
本発明の断熱容器は、プラスチックを素材としたカップ状の容器本体（２、３２）と、前記容器本体の胴部（４）の外周面を覆う紙製のスリーブ（３、２３、３３）とを有した断熱容器（１Ａ〜１Ｃ）において、前記スリーブの上部に設けられて前記スリーブの半径方向内側又は外側に突出する上部被拘束部（３ａ、２３ａ、３３ａ）と前記容器本体の上部に設けられて前記上部被拘束部の移動を阻止する上部拘束部（７、３７）とを有し、前記上部被拘束部と前記上部拘束部とを互いに接触させて前記スリーブを前記容器本体に拘束する上部拘束手段と、前記スリーブの下部に設けられて前記スリーブの半径方向内側又は外側に突出する下部被拘束部（３ｂ、２３ｂ、３３ｂ）と前記容器本体の下部に設けられて前記下部被拘束部の移動を阻止する下部拘束部（８、４８）とを有し、前記下部被拘束部と前記下部拘束部とを互いに接触させて前記スリーブを前記容器本体に拘束する下部拘束手段と、を備えることにより、上述した課題を解決する。
【０００９】
この断熱容器によれば、上部拘束手段と下部拘束手段とによってスリーブが容器本体に拘束されるので、容器本体に装着したスリーブの安定性が高まる。しかも接着剤等を使用せずにこれらの拘束手段によってスリーブと容器本体とを組み合わせることができるので、使用前及び使用中にスリーブが容器本体から安易に外れることがなく、かつ使用後にある程度の力でスリーブを引き下げることでスリーブと容器本体とを簡便に分離することができる。また、この断熱容器のスリーブが所定の輪郭を持つブランクの両端部を互いに貼り合わせて筒状に形成されている場合にあっては、スリーブの貼り合わせ部を使用後において剥がすことによりスリーブと容器本体とを簡便に分離することもできる。
【００１０】
スリーブに設けられる上部被拘束部はスリーブの半径方向外側又は内側に突出するものであれば如何なる態様でよく、また、容器本体の胴部に設けられる上部拘束部はスリーブに設けられる上部被拘束部を阻止できるものであれば如何なる態様でもよい。下部被拘束部及び下部拘束部についても同様である。
【００１１】
例えば、本発明の一態様において、前記上部拘束手段は、前記上部被拘束部として前記スリーブの上端部が前記半径方向内側に丸められた上側カール部（３ａ）が設けられ、前記上側カール部と前記上部拘束部とを互いに接触させて前記スリーブを前記容器本体に拘束してもよいし、前記上部拘束手段は、前記上部被拘束部として前記スリーブの上端部が前記半径方向内側に折曲げられた上側折曲げ部（２３ａ）が設けられ、前記上側折曲げ部と前記上部拘束部とを互いに接触させて前記スリーブを前記容器本体に拘束してもよい。これらの態様によれば、上側カール部又は上側折曲げ部には素材の特性に由来する弾力性が存在するので、上側カール部又は上側折曲げ部とこれらの移動を阻止する上部拘束部との間の寸法誤差に対する許容範囲が拡大する。これにより、これらの寸法精度への要求が緩和されるため、断熱容器の生産性が高まる利点がある。
【００１２】
また、下部拘束手段に関しても、これを上部拘束手段と同様の態様にして、断熱容器の生産性を向上させてもよい。即ち、前記下部拘束手段は、前記下部被拘束部として前記スリーブの下端部が前記半径方向内側に丸められた下側カール部（３ｂ、３３ｂ）が設けられ、前記下側カール部と前記下部拘束部とを互いに接触させて前記スリーブを前記容器本体に拘束してもよいし、前記下部拘束手段は、前記下部被拘束部として前記スリーブの下端部が前記半径方向内側に折曲げられた下側折曲げ部（２３ｂ）が設けられ、前記下側折曲げ部と前記下部拘束部とを互いに接触させて前記スリーブを前記容器本体に拘束してもよい。
【００１３】
これらの態様においては、前記下部拘束部として、前記胴部の上部に向かう方向に外径が徐々に縮小するテーパ部（８）が前記胴部の下部に設けられていてもよい。この場合、テーパ部が外径を徐々に変化させるものであるので、容器本体からスリーブを引き下げる際にスリーブの上下方向に作用する力が過大なることを防止できる。そのため、スリーブの座屈や破れ等の破壊が抑制されるので、容器本体からのスリーブの取り外しが比較的容易になる。
【００１４】
この態様においては、前記容器本体の前記胴部は、その外径が上部に向かう方向に前記テーパ部に続いて徐々に拡大するように構成されていてもよい。この場合、容器本体の胴部の外周面が括れた状態になるため、スリーブと胴部との間に空隙を確保し易くなり、断熱性が向上する。
【発明の効果】
【００１５】
以上説明したように、本発明の断熱容器によれば、上部拘束手段と下部拘束手段とによってスリーブが容器本体に拘束されるので、容器本体に装着したスリーブの安定性が高まる。しかも接着剤等を使用せずにこれらの拘束手段によってスリーブと容器本体とを組み合わせることができるので、使用前及び使用中にスリーブが容器本体から安易に外れることがなく、かつ使用後にある程度の力でスリーブを引き下げることでスリーブと容器本体とを簡便に分離することができる。また、この断熱容器のスリーブが所定の輪郭を持つブランクの両端部を互いに貼り合わせて筒状に形成されている場合にあっては、スリーブの貼り合わせ部を使用後において剥がすことによりスリーブと容器本体とを簡便に分離することもできる。
【発明を実施するための最良の形態】
【００１６】
（第１の形態）
図１は本発明の一形態に係る断熱容器を示している。断熱容器１Ａは容器本体としてのカップ状のカップ本体２とその外周面を覆う紙製の筒状のスリーブ３とを組み合わせて構成され、カップ本体２の胴部４とスリーブ３との間には空隙Ｇが形成される。カップ本体２は胴部４と底部５とを有する略円錐台形に形成される。カップ本体２は胴部４の上端部が半径方向の外側に突出するフランジ部６を備え、そのフランジ部６の直下には半径方向内側に窪みかつ周方向に延びる周溝部７が設けられる。胴部４の下部にはその上部に向かう方向に外径が徐々に縮小するテーパ部８が設けられており、胴部４の外周面はテーパ部８に続いて外径が上部に向かう方向に徐々に拡大するように構成されている。
【００１７】
カップ本体２の素材には、ＰＰ（ポリプロピレン）、ＰＥＴ（ポリエチレンテレフタレート）等のプラスチックが使用され、このようなプラスチックのシートを真空成形法や圧空成形法等の成形法を利用して図示の形態に成形される。カップ本体２は、プラスチックの素材を射出成形法にて図示の形態に成形することもできる。また、成形後のカップ本体にプレス加工等の後加工で段差等を形成することもできる。また、多層シート等のプラスチックを素材とするいわゆるバリア容器としてカップ本体２を形成してもよい。
【００１８】
スリーブ３は不図示の扇形のブランクの両端部を貼り合わせることにより形成され、その上部にはスリーブ３の上端部が半径方向内側に丸められた上側カール部３ａが、その下部にはスリーブ３の下端部が半径方向内側に丸められた下側カール部３ｂがそれぞれ設けられる。これらのカール部３ａ、３ｂはそれぞれスリーブ３の半径方向内側に突出するように構成される。断熱容器１Ａは、スリーブ３の上側カール部３ａがカップ本体２の周溝部７に嵌め込まれ、かつスリーブ３の下側カール部３ｂがカップ本体２のテーパ部８の最大外径となる位置を乗り越えるようにして、カップ本体２とスリーブ３とが互いに組み合わされることにより構成される。
【００１９】
これにより、スリーブ３の上側カール部３ａとカップ本体２の周溝部７とが接触して上側カール部３ａの移動が阻止されてスリーブ３がカップ本体２に拘束される。また、スリーブ３の下側カール部３ｂとカップ本体２のテーパ部８とが接触して下側カール部３ｂの移動が阻止されてスリーブ３がカップ本体２に拘束される。そのため、カップ本体２とスリーブ３との間に接着剤等の異種の接合手段を介在させることなく、カップ本体２とスリーブ３とを固定することができる。そして、断熱容器１Ａの使用後には、ある程度の力でスリーブ３を引き下げることにより、スリーブ３とカップ本体２とを簡便に分離することができる。スリーブ３はブランクの両端部を貼り合わせることにより形成されているので、スリーブ３の貼り合わせ部を使用後において剥がすことによりスリーブ３とカップ本体２とを簡便に分離することも可能となる。よって断熱容器１Ａの使用後の分別廃棄が容易になる。しかも、スリーブ３はカップ本体２の上部と下部とでそれぞれ拘束されるので、断熱容器１Ａの使用前又は使用中のスリーブ３の安定性が高い。また、カップ本体２の下端に設けられたテーパ部はその外径を徐々に変化させるものであるので、カップ本体２からスリーブ３を引き下げる際にスリーブ３の上下方向に作用する力が過大なることを防止できる。これにより、スリーブ３の座屈や破れ等の破壊が抑制される。
【００２０】
また、カップ本体２の胴部４の外周面は、図１に示すように、テーパー部８で外径が縮小し、テーパ部８に続いて外径が拡大に転じているため括れた状態になる。そのため、カップ本体２とスリーブ３との間に形成される空隙Ｇを確保することが容易となり、断熱性が向上する。
【００２１】
図１の形態において、上側カール部３ａが本発明に係る上部被拘束部に、周溝部７が本発明に係る上部拘束部にそれぞれ相当し、上側カール部３ａ及び周溝部７の組み合わせが本発明に係る上部拘束手段として機能する。また、下側カール部３ｂが本発明に係る下部被拘束部に、テーパ部８が本発明に係る下部拘束部にそれぞれ相当し、下側カール部３ｂ及びテーパ部８の組み合わせが本発明に係る下部拘束手段として機能する。
【００２２】
（第２の形態）
次に、図２を参照して本発明に係る第２の形態を説明する。図２は第２の形態に係る断熱容器を示している。図２において第１の形態と同一構成に同一符号を付すことにより、重複する説明を省略する。図２に示す断熱容器１Ｂにおいては、スリーブ２３の上部にその上端部が半径方向内側に折曲げられた上側折曲げ部２３ａが設けられるとともに、スリーブ２３の下部にその下端部が半径方向内側に折曲げられた下側折曲げ部２３ｂが設けられる。これらの折曲げ部２３ａ、２３ｂはスリーブ２３の半径方向内側にそれぞれ突出する。図２から明らかなように、断熱容器１Ｂは、スリーブ２３の上側折曲げ部２３ａがカップ本体２の周溝部７に嵌め込まれ、かつスリーブ２３の下側折曲げ部２３ｂがカップ本体２のテーパ部８の最大外径となる位置を乗り越えるようにして、カップ本体２とスリーブ２３とが互いに組み合わされることにより構成される。これにより、スリーブ２３の上側折曲げ部２３ａとカップ本体２の周溝部７とが接触して上側折曲げ部２３ａの移動が阻止されてスリーブ３がカップ本体２に拘束される。また、スリーブ２３の下側折曲げ部２３ｂとカップ本体２のテーパ部８とが接触して下側折曲げ部２３ｂの移動が阻止されてスリーブ３がカップ本体２に拘束される。
【００２３】
図２の形態においては、上側折曲げ部２３ａが本発明に係る上部被拘束部に、カップ本体２の周溝部７が本発明に係る上部拘束部にそれぞれ相当し、上側折曲げ部２３ａ及び周溝部７の組み合わせが本発明に係る上部拘束手段として機能する。また、下側折曲げ部２３ｂが本発明に係る下部被拘束部に、テーパ部８が本発明に係る下部拘束部にそれぞれ相当し、下側折曲げ部２３ｂ及びテーパ部８の組み合わせが本発明に係る下部拘束手段として機能する。こうして、断熱容器１Ｂは第１の形態と同等の効果を発揮することができる。
【００２４】
図１及び図２に示した形態では、上側カール部３ａ又は上側折曲げ部２３ａには素材の特性に由来する弾力性が存在するので、上側カール部３ａ又は上側折曲げ部２３ａとこれらの移動を阻止する周溝部７との間の寸法誤差に対する許容範囲が拡大する。また、下側カール部３ｂ又は下側折曲げ部２３ｂとテーパ部８との間の寸法誤差に対しても同様である。これにより、これらの寸法精度への要求が緩和されるため、断熱容器１Ａ、１Ｂの生産性が高まる。
【００２５】
（第３の形態）
次に、図３を参照して本発明に係る第３の形態を説明する。図３は第３の形態に係る断熱容器を示している。図３において第１の形態と同一構成に同一符号を付すことにより、重複する説明を省略する。図３に示す断熱容器１Ｃは、カップ本体３２とスリーブ３３とが組み合わされることにより構成されている。カップ本体３２は、胴部４の半径方向外側に突出しかつ周方向に延びる突条部３７がフランジ部６の下方に設けられている。スリーブ３３の上部にはカップ本体３２の突条部３７と組み合わされる突条部３３ａが設けられ、スリーブ３３の下部にはその下端部が半径方向内側に丸められた下側カール部３３ｂが設けられる。突条部３３ａはスリーブ３の半径方向外側に突出しかつ周方向に延びるように構成されている。図３から明らかなように、断熱容器１Ｃは、スリーブ３３の突条部３３ａがカップ本体２の突条部３７に嵌り合い、かつスリーブ３３の下側カール部３３ｂがカップ本体３２のテーパ部８の最大外径となる位置を乗り越えるようにして、カップ本体３２とスリーブ３３とが互いに組み合わされる。これにより、スリーブ３３の突条部３３ａとカップ本体２の突条部３７とが接触して、スリーブ３３の突条部３３ａの移動が阻止されてスリーブ３３がカップ本体３２に拘束される。また、スリーブ３３の下側カール部３３ｂとカップ本体３２のテーパ部８とが接触して下側カール部３３ｂの移動が阻止されてスリーブ３３がカップ本体３２に拘束される。
【００２６】
図３の形態においては、突条部３３ａが本発明に係る上部被拘束部に、カップ本体３２の突条部３７が本発明に係る上部拘束部にそれぞれ相当し、突条部３３ａ及び突条部３７の組み合わせが本発明に係る上部拘束手段として機能する。また、下側カール部３３ｂが本発明に係る下部被拘束部に、テーパ部８が本発明に係る下部拘束部にそれぞれ相当し、下側カール部３３ｂ及びテーパ部８の組み合わせが本発明に係る下部拘束手段として機能する。こうして、断熱容器１Ｃは第１の形態と同等の効果を発揮することができる。
【００２７】
本発明は以上の形態に限定されず、本発明の要旨の範囲内で種々の形態にて実施できる。例えば、図１の上側カール部３ａ又は下側カール部３ｂのいずれか一方を図２に示す折曲げ部２３ａ、２３ｂのいずれか一方と置き換えてもよい。また、図３の下側カール部３３ｂを図２に示す下側折曲げ部２３ｂと置き換えてもよい。このような置き換えを行った場合でも上記各形態と同等の効果を発揮することができる。
【００２８】
上記各形態のテーパ部８の代りに図４に示すような下部拘束部としての突起部４８を設けることにより、下側カール部３ｂと突起部４８との組み合わせを本発明に係る下部拘束手段として機能させることもできる。この突起部４８は周方向に繋がっていてもよいし、複数部分に分断されていてもよい。図４に示す突起部４８はスリーブ３をカップ本体２に装着する際の抵抗を緩和するため、その外径がカップ本体２の上部に向かう方向に滑らかに拡大するように形成されている。なお、図４では、下側カール部３ｂと突起部４８との組み合わせを代表して例示したにすぎず、下側折曲げ部２３ｂ（図２）又は下側カール部３３ｂ（図３）と突起部４８との組み合わせを本発明に係る下部拘束手段として機能させることを排除するものではない。
【００２９】
また、上記各形態のスリーブ３の貼り合わせ部に、使用者が摘むことができるタブ等の摘み部（不図示）を設けることにより、スリーブ３とカップ本体２との分離に際してスリーブ３の貼り合わせ部を剥がし易くすることができる。
【図面の簡単な説明】
【００３０】
【図１】本発明の一形態に係る断熱容器を示した図。
【図２】第２の形態に係る断熱容器を示した図。
【図３】第３の形態に係る断熱容器を示した図。
【図４】各形態の変形例を説明する説明図。
【符号の説明】
【００３１】
１Ａ〜１Ｃ  断熱容器
２  カップ本体（容器本体）
３  スリーブ
３ａ  上側カール部（上部被拘束部）
３ｂ  下側カール部（下部被拘束部）
４  胴部
７  周溝部（上部拘束部）
８  テーパ部（下部拘束部）
２３  スリーブ
２３ａ  上側折曲げ部（上部被拘束部）
２３ｂ  下側折曲げ部（下部被拘束部）
３２  カップ本体（容器本体）
３３  スリーブ
３３ａ  突条部（上部被拘束部）
３３ｂ  下側カール部（下部被拘束部）
３７  突条部（上部拘束部）
４８  突起部（下部拘束部）
【図１】
2008168922.tif 000003
【図２】
2008168922.tif 000004
【図３】
2008168922.tif 000005
【図４】
2008168922.tif 000006